(57)【要約】【課題】湿潤路面（ＷＥＴ路面）と乾燥路面（ＤＲＹ路面）とにおける操縦安定性を向上し、かつ排水性を向上した空気入りタイヤを提供すること。【解決手段】トレッド面１に、周方向に連続して延びる主溝２２ｏｕｔと、主溝２２ｏｕｔに対して非直角に交わり、主溝２２ｏｕｔに対して鈍角に延びる鈍角側壁面３Ｂと主溝２２ｏｕｔに対して鋭角に延びる鋭角側壁面３Ａとを有する横溝３と、を備える空気入りタイヤにおいて、鈍角側壁面３Ｂは、主溝２２ｏｕｔに向かって横溝３の溝幅が広がる方向に傾斜しつつ延び、かつ主溝２２ｏｕｔに開口する第１壁面を有するものとし、鋭角側壁面３Ａは、横溝３のトレッド面１との稜線近傍から始端して第１壁面Ｆ１の底部に向かって傾斜しつつ延び、かつ主溝２２ｏｕｔに開口する第２壁面Ｆ２を有するものとする。【選択図】  図１
2010167857.tif 000002
【特許請求の範囲】
【請求項１】
トレッド面に、周方向に連続して延びる主溝と、
前記主溝に対して非直角に交わり、前記主溝に対して鈍角に延びる鈍角側壁面と前記主溝に対して鋭角に延びる鋭角側壁面とを有する横溝と、を備える空気入りタイヤにおいて、
前記鈍角側壁面は、前記主溝に向かって前記横溝の溝幅が広がる方向に傾斜しつつ延び、かつ前記主溝に開口する第１壁面を有し、
前記鋭角側壁面は、前記横溝の前記トレッド面との稜線近傍から始端して前記第１壁面の底部に向かって傾斜しつつ延び、かつ前記主溝に開口する第２壁面を有するものであることを特徴とする空気入りタイヤ。
【請求項２】
前記第２壁面は、平面視が三角形状である請求項１に記載の空気入りタイヤ。
【請求項３】
前記主溝の溝深さをＨ、前記トレッド面から前記第２壁面の前記主溝側底部までの距離をＨ１としたとき、Ｈ／４≦Ｈ１である請求項１または２に記載の空気入りタイヤ。
【発明の詳細な説明】
【技術分野】
【０００１】
本発明は、トレッド面に、周方向に連続して延びる主溝と、該主溝に対して非直角に交わる横溝と、を備える空気入りタイヤに関する。
【背景技術】
【０００２】
近年、トレッドパターン各部における接地圧などの解析技術の発展に伴い、設計の最適化を行う目的で、車両装着時の内側と外側とに異なるトレッドパターンを形成した非対称パターンが採用される場合がある。その際、湿潤路面（ＷＥＴ路面）における排水性と乾燥路面（ＤＲＹ路面）における操縦安定性とは、空気入りタイヤの重要な要求性能となる。
【０００３】
ＷＥＴ路面における排水性とＤＲＹ路面における操縦安定性とを同時に満足するものとして、下記特許文献１では、図８に示すような、タイヤ赤道ＣＬに略対称な傾斜角にてタイヤ赤道ＣＬ付近からトレッド端側へと回転後着側が徐々に広がるように夫々延びる複数の傾斜主溝５１を有する回転方向指定型のトレッドパターンが記載されている。しかし、このトレッドパターンではショルダー部Ｃの陸部がメディエイト部Ｂへと連続しており、かつショルダー部Ｃへ連続する傾斜主溝５１同士の間隔がショルダー部Ｃで広くなるため、ショルダー部Ｃの陸部５９の剛性が大きくなり、打撃音によるパターンノイズが大きくなり易い。
【０００４】
また、下記特許文献２では、タイヤ周方向に平行または実質的に平行に延びる、少なくとも１本の周方向溝をタイヤの赤道線近傍に備えた空気入りタイヤにおいて、（１）該周方向溝に隣接して、二等辺またはほぼ二等辺の三角形領域が、周方向に間隔を置いて多数形成され、（２）該二等辺三角形領域の頂点および二等辺のうちの一つの辺が該周方向溝の壁面上に位置し、（３）該二等辺三角形領域の頂点から底辺に向けて、面取り深さが徐々に浅くなるように、５ｍｍ以上の長さにわたって面取りされていて、（４）該二等辺三角形領域の頂点の頂角は５乃至４０度である場合、空気入りタイヤの騒音（パターンノイズ）レベルの悪化を防止または抑制できるとの記載がある。しかし、この空気入りタイヤでは、三角形状の面取り領域が傾斜サイプのみを介して横溝に連結しているため、タイヤ走行時に荷重が掛かった場合、この傾斜サイプの開口部が狭小化する、あるいは閉塞する傾向がある。このため、この空気入りタイヤでは、ＷＥＴ路面における排水性が十分ではない。
【先行技術文献】
【特許文献】
【０００５】
【特許文献１】特開平０８−１１３０１５号公報
【特許文献２】特開２０００−５２７１５号公報
【発明の概要】
【発明が解決しようとする課題】
【０００６】
本発明は上記実情に鑑みてなされたものであり、その目的は湿潤路面（ＷＥＴ路面）と乾燥路面（ＤＲＹ路面）とにおける操縦安定性を向上し、かつ排水性を向上した空気入りタイヤを提供することにある。
【課題を解決するための手段】
【０００７】
上記目的は、下記の如き本発明により達成できる。即ち、本発明の空気入りタイヤは、トレッド面に、周方向に連続して延びる主溝と、前記主溝に対して非直角に交わり、前記主溝に対して鈍角に延びる鈍角側壁面と前記主溝に対して鋭角に延びる鋭角側壁面とを有する横溝と、を備える空気入りタイヤにおいて、前記鈍角側壁面は、前記主溝に向かって前記横溝の溝幅が広がる方向に傾斜しつつ延び、かつ前記主溝に開口する第１壁面を有し、前記鋭角側壁面は、前記横溝の前記トレッド面との稜線近傍から始端して前記第１壁面の底部に向かって傾斜しつつ延び、かつ前記主溝に開口する第２壁面を有するものであることを特徴とする。
【０００８】
上記空気入りタイヤでは、横溝の鈍角側壁面が、主溝に向かって横溝の溝幅が広がる方向に傾斜しつつ延び、かつ主溝に開口する第１壁面を有する。これにより、主溝と横溝との水流路が円滑に確保されるため、ＷＥＴ路面での排水性を向上することができる。その結果、空気入りタイヤの耐ハイドロプレーニング性およびＷＥＴ路面での操縦安定性を向上することができる。さらに、上記空気入りタイヤでは、横溝の鋭角側壁面が、横溝のトレッド面との稜線近傍から始端して第１壁面の底部に向かって傾斜しつつ延び、かつ主溝に開口する第２壁面を有する。これにより、ＷＥＴ路面での排水性を損なうことなく、この横溝に隣接する陸部の鋭角部分を補強することができる。その結果、空気入りタイヤのＤＲＹ路面での操縦安定性を向上し、かつ空気入りタイヤの偏摩耗を防止することができる。加えて、横溝の鋭角側壁面が第２壁面を有することから、溝内での気柱管共鳴に起因する空気入りタイヤのパターンノイズの発生を抑制することができる。
【０００９】
上記空気入りタイヤにおいて、前記第２壁面は、平面視が三角形状であることが好ましい。かかる構成によれば、第２壁面が、その平面視で三角形状であることから、ＷＥＴ路面での排水性を損なうことなく、横溝に隣接する陸部の鋭角部分をより確実に補強することができる。その結果、空気入りタイヤのＤＲＹ路面での操縦安定性をさらに向上し、かつ空気入りタイヤの偏摩耗をより効果的に防止することができる。
【００１０】
上記空気入りタイヤにおいて、前記主溝の溝深さをＨ、前記トレッド面から前記第２壁面の前記主溝側底部までの距離をＨ１としたとき、Ｈ／４≦Ｈ１であることが好ましい。かかる構成によれば、横溝に隣接する陸部の鋭角部分に対する、第２壁面の補強効果と、ＷＥＴ路面での排水性とを特にバランスよく向上することができる。
【図面の簡単な説明】
【００１１】
【図１】本発明の空気入りタイヤの一例のトレッドパターンの概略展開図
【図２】横溝の主溝に対する開口部近傍の部分拡大図
【図３】図１において、主溝２２ｏｕｔ側から見た横溝３の壁面を示す斜視図
【図４】本発明の空気入りタイヤの他の例のトレッドパターンの概略展開図
【図５】本発明の空気入りタイヤの他の例のトレッドパターンの概略展開図
【図６】比較例２の空気入りタイヤのトレッドパターンの概略展開図
【図７】図６のＢ−Ｂ矢視断面図
【図８】従来の空気入りタイヤの一例のトレッドパターンの概略展開図
【発明を実施するための形態】
【００１２】
以下、本発明の実施の形態について、図面を参照しながら説明する。図１は本発明の空気入りタイヤの一例のトレッドパターンの概略展開図を示すものであり、図２は横溝の主溝に対する開口部近傍の部分拡大図を示すものである。図３は、図１において、主溝２２ｏｕｔ側から見た横溝３の壁面を示す斜視図である。
【００１３】
本発明の空気入りタイヤは、トレッド面に、周方向に連続して延びる主溝と、主溝に対して非直角に交わり、主溝に対して鈍角に延びる鈍角側壁面と主溝に対して鋭角に延びる鋭角側壁面とを有する横溝と、を備える。本実施形態の空気入りタイヤは、図１に示すように、車両への装着方向が指定された非対称パターンを有しており、タイヤ赤道ＣＬの両側にて、タイヤ周方向ＰＤに連続して延びる主溝２１ｉｎ、２１ｏｕｔと、これらの主溝とトレッド端との間にてタイヤ周方向に連続して延びる主溝２２ｉｎ、２２ｏｕｔとが配設されている。図中、矢印ＩＮが装着内側を、矢印ＯＵＴが装着外側を示している。この空気入りタイヤは、装着方向が指定されるタイプであるが、本発明においては、トレッドパターンの形状に応じて、同時に回転方向が指定されるタイヤであってもよい。
【００１４】
本発明において、「タイヤ周方向ＰＤに連続して延びる」とは、タイヤ周方向ＰＤに直線状に延びる溝に限られず、ジグザグ状や湾曲している溝であっても、タイヤ周方向ＰＤに連続して延びるものであれば、全て包含される。
【００１５】
本実施形態のトレッド面１では、主溝２１ｉｎと主溝２１ｏｕｔとの間に中央陸部４１が区画されている。また、主溝２１ｏｕｔと主溝２２ｏｕｔとの間に中間陸部４２ｏｕｔが区画され、主溝２２ｏｕｔと装着外側のトレッド端との間にショルダー陸部４３ｏｕｔが区画されている。さらに、主溝２１ｉｎと主溝２２ｉｎとの間に中間陸部４２ｉｎが区画され、主溝２２ｉｎと装着内側のトレッド端との間にショルダー陸部４３ｉｎが区画されている。
【００１６】
本実施形態では、装着外側にてトレッド端に最も近い主溝２２ｏｕｔを、他の主溝２１ｉｎ、２１ｏｕｔおよび２２ｉｎよりも溝幅を狭く設定している。具体的には、主溝２２ｏｕｔの溝幅を４ｍｍとし、他の主溝２１ｉｎおよび２１ｏｕｔの溝幅を１４．５ｍｍ、２２ｉｎの溝幅を１３．２ｍｍに設定している。このように設定された空気入りタイヤでは、装着外側にて中間陸部４２ｏｕｔおよびショルダー陸部４３ｏｕｔの接地面積が大きくなるため、空気入りタイヤのＤＲＹ路面における操縦安定性がより向上する。本発明においては、空気入りタイヤのＤＲＹ路面における操縦安定性をより向上するためには、装着外側にてトレッド端に最も近い主溝の溝幅を、トレッド面が備える全主溝の平均溝幅よりも狭くすることがより好ましく、トレッド面が備える全主溝の平均溝幅の３０〜８０％と設定することが特に好ましい。
【００１７】
図１および図２に示すとおり、本実施形態のトレッド面１は、主溝２２ｏｕｔに対して非直角に交わり、主溝２２ｏｕｔ対して鈍角（具体的には、１２０°）に延びる鈍角側壁面３Ｂと主溝２２ｏｕｔに対して鋭角（具体的には、６０°）に延びる鋭角側壁面３Ａとを有する横溝３を備える。ここで、鈍角側壁面３Ｂと主溝２２ｏｕｔとのなす角度は、横溝３の中心線Ｃと主溝２２ｏｕｔとのなす角度を意味し、鋭角側壁面３Ａと主溝２２ｏｕｔとのなす角度についても、同様に横溝３の中心線Ｃと主溝２２ｏｕｔとのなす角度を意味するものとする。
【００１８】
本実施形態では、横溝３は、主溝２１ｏｕｔから延び、主溝２２ｏｕｔと非直角に交わるものと、装着外側のトレッド端から延び、主溝２２ｏｕｔと非直角に交わるものとを含む。本実施形態において、この横溝３の溝幅および溝深さは特に限定されるものではないが、例えば溝幅は３〜８ｍｍ、溝深さは４〜８ｍｍのものが挙げられる。
【００１９】
本発明において、主溝と横溝の中心線との交わる角度としては、空気入りタイヤの排水性をより向上するためには、３０°〜８０°であることが好ましい。ここでいう「主溝と横溝との交わる角度」とは、主溝と横溝の中心線とが交わることにより形成される角度のうち、小さい方の角度を指す。
【００２０】
図１から図３に示すとおり、鈍角側壁面３Ｂは、主溝２２ｏｕｔに向かって横溝３の溝幅が広がる方向に傾斜しつつ延び、かつ主溝２２ｏｕｔに開口する第１壁面Ｆ１を有する。これにより、主溝２２ｏｕｔと横溝３との水流路が円滑に確保されるため、ＷＥＴ路面での排水性を向上することができる。その結果、空気入りタイヤの耐ハイドロプレーニング性およびＷＥＴ路面での操縦安定性を向上することができる。また、鋭角側壁面３Ａは、横溝３のトレッド面１との稜線近傍から始端して第１壁面Ｆ１の底部に向かって傾斜しつつ延び、かつ主溝２２ｏｕｔに開口する第２壁面Ｆ２を有する。これにより、ＷＥＴ路面での排水性を損なうことなく、この横溝３に隣接する中間陸部４２ｏｕｔの鋭角部分を補強することができる。その結果、空気入りタイヤのＤＲＹ路面での操縦安定性を向上し、かつ空気入りタイヤの偏摩耗を防止することができる。加えて、横溝３の鋭角側壁面３Ａが第２壁面Ｆ２を有することから、溝内での気柱管共鳴に起因する空気入りタイヤのパターンノイズの発生を抑制することができる。
【００２１】
図３に示すとおり、本実施形態では、主溝２２ｏｕｔの溝深さＨを８ｍｍ、トレッド面１から第２壁面Ｆ２の主溝２２ｏｕｔ側底部までの距離Ｈ１は６ｍｍに設定している。本発明においては、上記ＨとＨ１との関係が、Ｈ／４≦Ｈ１であることが好ましい。かかる構成によれば、横溝３に隣接する中間陸部４２ｏｕｔの鋭角部分に対する、第２壁面Ｆ２の補強効果と、ＷＥＴ路面での排水性とを特にバランスよく向上することができる。
【００２２】
本実施形態では、図１および図２に示すとおり、第２壁面Ｆ２は、平面視が三角形状となるように形成されている。かかる構成によれば、ＷＥＴ路面での排水性を損なうことなく、横溝に隣接する陸部の鋭角部分を第２壁面Ｆ２により確実に補強することができる。その結果、空気入りタイヤのＤＲＹ路面での操縦安定性をさらに向上し、かつ空気入りタイヤの偏摩耗をより効果的に防止することができる。本実施形態では、図１および図２に示すとおり、第２壁面Ｆ２は、第１壁面Ｆ１の底部全体を含む直線を一辺とする三角形状で構成されている。この場合、空気入りタイヤの排水性と、ＷＥＴ路面での操縦安定性およびＤＲＹ路面での操縦安定性と、をバランスよく向上することができるため好ましい。
【００２３】
上述したとおり、本実施形態では、装着外側にてトレッド端に最も近い主溝２２ｏｕｔの溝幅を、トレッド面１が備える全主溝の平均溝幅よりも狭く設定することで、空気入りタイヤのＤＲＹ路面における操縦安定性がより向上する。ここで、主溝の溝幅を狭くすると、その主溝では排水性が低下する傾向があることから、ＤＲＹ路面での操縦安定性と、排水性およびＷＥＴ路面での操縦安定性と、を両立することは一般的に困難である。しかしながら、本実施形態では、トレッド面１が、トレッド面１が備える全主溝の平均溝幅よりも溝幅を狭く設定した主溝２２ｏｕｔと、主溝２２ｏｕｔに対する開口部近辺の壁面として、第１壁面Ｆ１および第２壁面Ｆ２を有する横溝３とを備えることで、主溝２２ｏｕｔと横溝３との水流路が円滑に確保される。その結果、ＤＲＹ路面における操縦安定性を特に向上し、かつ排水性およびＷＥＴ路面での操縦安定性をもバランスよく向上することができる。
【００２４】
本実施形態では、さらにこの横溝３に加えて、トレッド面１は、主溝２１ｏｕｔから主溝２２ｏｕｔに向かって、横溝３と略平行に延び、主溝２２ｏｕｔ手前で終端する終端溝３’を備える。本実施形態では、特に横溝３および終端溝３’の数を略同等に設定している。このように設定した空気入りタイヤでは、その排水性を確保しつつ、ＷＥＴ路面およびＤＲＹ路面での操縦安定性を向上することができる。これら終端溝３’の溝幅および溝深さは、上述した横溝３と略同等とすることができる。
【００２５】
本実施形態のトレッド面１では、中央陸部４１をリブ形状としている。さらに、主溝２２ｉｎから主溝２１ｉｎに向かって延び、主溝２１ｉｎ手前で終端する終端溝５と、装着内側のトレッド端から主溝２２ｉｎに向かって延び、主溝２２ｉｎ手前で終端する終端溝６と、を備える。これら終端溝５および６の溝幅および溝深さは、上述した横溝３と略同等とすることができる。
【００２６】
本発明の空気入りタイヤは、以上のような主溝および横溝をトレッド部に有すること以外は、従来公知の空気入りタイヤと同じであり、従来公知の形状、構造、材料、製造方法などが何れも採用できる。
【００２７】
このような空気入りタイヤは、図示を省略するが、例えば、一対のビード部と、ビード部から各々タイヤ径方向外側に延びるサイドウォール部と、サイドウォール部間に設けたトレッド部と、そのトレッド部の下方に配されるベルト層とを備えるものである。
【００２８】
具体的には、例えば、一対のビード部の間にはカーカス層が架け渡されるように配される。カーカス層はポリエステル等のコードをゴム引きした層から形成されたラジアルカーカスであり、カーカス層の外側にはゴム層が形成される。また、チューブレスタイヤでは最内層にインナーライナー層が形成される。カーカス層のタイヤ径方向外側には、たが効果による補強を行うベルト層が配置され、そのベルト層のタイヤ径方向外側にトレッド部１が形成される。ベルト層はタイヤ赤道線に対して約２０°の傾斜角度で平行配列したスチールコードをゴム引きした層を、スチールコードがタイヤ赤道線を挟んで交差するように積層して形成される。
【００２９】
トレッド部を形成するトレッドゴムの原料としては、天然ゴム、スチレンブタジエンゴム（ＳＢＲ）、ブタジエンゴム（ＢＲ）、イソプレンゴム（ＩＲ）、ブチルゴム（ＩＩＲ）等が挙げられる。これらのゴムはカーボンブラックやシリカ等の充填材で補強されると共に、加硫剤、加硫促進剤、可塑剤、老化防止剤等が適宜配合される。
【００３０】
本発明の空気入りタイヤでは、ＷＥＴ路面とＤＲＹ路面とにおける操縦安定性を向上し、かつ排水性を向上させることができるため、夏用タイヤ、オールシーズンタイヤ、競技用タイヤなどとして幅広く使用することができる。
【００３１】
［他の実施形態］
（１）前述の実施形態では、トレッド面１に４本の主溝を備える例を示したが、本発明においてはトレッド面に少なくとも４本の主溝を備えるものであればよい。
【００３２】
（２）前述の実施形態では、横溝３に加えて、トレッド面１は、主溝２１ｏｕｔから主溝２２ｏｕｔに向かって、横溝３と略平行に延び、主溝２２ｏｕｔ手前で終端する終端溝３’を備え、横溝３および終端溝３’の数を略同等に設定した例を示した。しかしながら、図１に示す実施形態において、終端溝３’に代えて横溝３を採用してもよい。この場合、主溝２２ｏｕｔに対して非直角に交わりつつ連通する横溝のみを備えることから、空気入りタイヤの排水性が向上することで、空気入りタイヤの耐ハイドロプレーニング性が特に向上する。
【００３３】
（３）前述の実施形態では、トレッド面１が、トレッド面１が備える全主溝の平均溝幅よりも溝幅を狭く設定した主溝２２ｏｕｔと、主溝２２ｏｕｔに対する開口部近辺の壁面として、第１壁面Ｆ１および第２壁面Ｆ２を有する横溝３とを備える例を示した。しかしながら、本発明では、図４に示すとおり、主溝２２ｉｎの溝幅を主溝２２ｏｕｔの溝幅と同様に狭く設定し、さらに主溝２２ｉｎに対する開口部近辺の壁面として、第１壁面Ｆ１および第２壁面Ｆ２を有する横溝３とを備えるものであってもよい。この場合、装着内側でも接地面積が大きくなるため、空気入りタイヤのＤＲＹ路面における操縦安定性が特に向上する。
【００３４】
（４）前述の実施形態では、図１に示すように、車両への装着方向が指定された非対称パターンを有する空気入りタイヤの例を示したが、図５に示すような対称パターンを有する空気入りタイヤにも本発明は適用可能である。
【実施例】
【００３５】
以下、本発明の構成と効果を具体的に示す実施例等について説明する。なお、実施例等における評価項目は下記のようにして測定を行った。
【００３６】
（１）耐ハイドロプレーニング性能
水深８ｍｍのＷＥＴ路面を走行したときのハイドロプレーニングの発生速度を測定して評価した。なお、評価は比較例１のタイヤを１００としたときの指数表示で示し、数値が大きいほど良好な結果を示す。
【００３７】
（２）ＤＲＹ路面での操縦安定性
テストドライバー２名により、ＤＲＹ路面を各種走行モードで走行したときのドライバーによるフィーリングで評価した。なお、評価は比較例１のタイヤを１００としたときの指数表示で示し、数値が大きいほど良好な結果を示す。
【００３８】
（３）ＷＥＴ路面での操縦安定性
テストドライバー２名により、水深１ｍｍのＷＥＴ路面を各種走行モードで走行したときのフィーリングで評価した。なお、評価は比較例１のタイヤを１００としたときの指数表示で示し、数値が大きいほど良好な結果を示す。
【００３９】
（４）耐偏摩耗性能
１２，０００ｋｍ走行後に、ブロック間（トゥーアンドヒール比）の摩耗量差を測定した。測定結果を数値化して評価し、その数値が１．０に近いほど良好な結果を示す。
【００４０】
（５）パターンノイズ
テストドライバー２名により、ＤＲＹ路面を各種走行モードで走行したときのフィーリングで評価した。なお、評価は１０点を満点として評価し、数値が大きいほど良好な結果を示す。
【００４１】
実施例１
図１に示すトレッド面１において、主溝２２ｏｕｔの溝幅を４ｍｍとし、他の主溝２１ｉｎおよび２１ｏｕｔの溝幅を１４．５ｍｍ、２２ｉｎの溝幅を１３．２ｍｍに設定し、主溝２２ｏｕｔの溝深さＨを８ｍｍ、トレッド面１から第２壁面Ｆ２の主溝２２ｏｕｔ側底部までの距離Ｈ１を６ｍｍに設定し、横溝３と終端溝３’の数を同等に設定（全ての横溝３は、第１壁面Ｆ１および第２壁面Ｆ２を主溝２２ｏｕｔ側に有する）した空気入りタイヤを作製し、上記性能を評価した。その結果を表１に示す。
【００４２】
実施例２
図１に示すトレッド面１において、終端溝３’に代えて横溝３を採用した（全ての横溝３は、第１壁面Ｆ１および第２壁面Ｆ２を主溝２２ｏｕｔ側に有する）以外は、実施例１と同等の構成を有する空気入りタイヤを作製し、上記性能を評価した。その結果を表１に示す。
【００４３】
比較例１
図１に示すトレッド面１において、横溝３に代えて、平面視が三角形状である第２壁面のない横溝を採用した以外は、実施例１と同等の構成を有する空気入りタイヤを作製し、上記性能を評価した。その結果を表１に示す。
【００４４】
比較例２
図６に示すトレッド面１０において、横溝３０内であって、主溝２２ｏｕｔへの開口部近傍に補強ブリッジＢを備え、主溝２２ｏｕｔの溝幅を４ｍｍとし、他の主溝２１ｉｎおよび２１ｏｕｔを１４．５ｍｍ、２２ｉｎの溝幅を１３．２ｍｍに設定し、主溝２２ｏｕｔおよび横溝３０の溝深さＨを８ｍｍ、トレッド面１から第２壁面Ｆ２の主溝２２ｏｕｔ側底部までの距離Ｈ１は４ｍｍに設定した空気入りタイヤを作製し、上記性能を評価した。その結果を表１に示す。
【００４５】
【表１】
2010167857.tif 000003
【００４６】
表１の結果から、比較例１の空気入りタイヤに比べて、実施例１および実施例２の空気入りタイヤは、耐ハイドロプレーニング性、ＷＥＴ路面およびＤＲＹ路面での操縦安定性、ならびに耐偏摩耗性が向上し、パターンノイズの発生が抑制されていることがわかる。一方、比較例２の空気入りタイヤは、横溝３０内であって、主溝２２ｏｕｔへの開口部近傍に補強ブリッジＢを備えることから、ＤＲＹ路面での操縦安定性は向上するものの、ＷＥＴ路面での排水性が悪化する傾向がある。このため、比較例１の空気入りタイヤに比べて、耐ハイドロプレーニング性、ＷＥＴ路面での操縦安定性が悪化した。
【符号の説明】
【００４７】
１：トレッド面
２１ｉｎ、２１ｏｕｔ、２２ｉｎ、２２ｏｕｔ：主溝
３：横溝
【図１】
2010167857.tif 000004
【図２】
2010167857.tif 000005
【図３】
2010167857.tif 000006
【図４】
2010167857.tif 000007
【図５】
2010167857.tif 000008
【図６】
2010167857.tif 000009
【図７】
2010167857.tif 000010
【図８】
2010167857.tif 000011